(57)【要約】【課題】パネルの電流特性等の影響を受けにくく、安定した濃度の中間階調表示を得ることができる電気泳動表示装置の駆動方法を提供する。【解決手段】本発明の電気泳動表示装置の駆動方法は、一対の基板間に電気泳動素子を挟持してなり、複数の画素を配列してなる表示部を備え、表示部に画素電極と対向電極とが設けられた電気泳動表示装置の駆動方法であって、画素を中間階調表示させるステップが、上記画素を第１の階調に移行させる第１表示ステップと、少なくとも上記画素に属する画素電極及び対向電極の電荷を除去するディスチャージステップと、上記画素に属する画素電極及び対向電極に画素を第２の階調に移行させる電位をそれぞれ入力することで画素を中間階調に移行させる第２表示ステップと、を含むことを特徴とする。【選択図】図１
2011099897.tif 000002
【特許請求の範囲】
【請求項１】
一対の基板間に電気泳動素子を挟持してなり、複数の画素を配列してなる表示部を備え、前記表示部に、前記画素毎に形成された画素電極と、前記画素電極と前記電気泳動素子を介して対向する対向電極とが設けられた電気泳動表示装置の駆動方法であって、
前記画素を中間階調表示させるステップが、
前記画素を第１の階調に移行させる第１表示ステップと、
少なくとも前記画素に属する前記画素電極及び前記対向電極の電荷を除去するディスチャージステップと、
前記画素に属する前記画素電極及び前記対向電極に前記画素を第２の階調に移行させる電位をそれぞれ入力することで前記画素を中間階調に移行させる第２表示ステップと、
を含むことを特徴とする電気泳動表示装置の駆動方法。
【請求項２】
前記第２表示ステップにおいて、
前記画素を、前記第１の階調よりも前記第２の階調に近い階調値の中間階調に移行させることを特徴とする請求項１に記載の電気泳動表示装置の駆動方法。
【請求項３】
前記第２表示ステップの後に、前記画素電極及び前記対向電極をハイインピーダンス状態に保持する画像保持ステップをさらに含むことを特徴とする請求項１又は２に記載の電気泳動表示装置の駆動方法。
【請求項４】
前記ディスチャージステップと前記第２表示ステップとの間に、
前記画素電極及び前記対向電極をハイインピーダンス状態に保持する待機ステップをさらに含むことを特徴とする請求項１から３のいずれか１項に記載の電気泳動表示装置の駆動方法。
【請求項５】
一対の基板間に電気泳動素子を挟持してなり、複数の画素を配列してなる表示部を備え、前記表示部に、前記画素毎に形成された画素電極と、前記画素電極と前記電気泳動素子を介して対向する対向電極とが設けられた電気泳動表示装置の駆動方法であって、
前記画素を中間階調表示させるステップが、
前記画素を第１の階調に移行させる第１表示ステップと、
前記画素に属する前記画素電極及び前記対向電極に前記画素を第２の階調に移行させる電位をそれぞれ入力することで、前記画素を前記第１の階調よりも前記第２の階調に近い階調値の中間階調に移行させる第２表示ステップと、を有することを特徴とする電気泳動表示装置の駆動方法。
【請求項６】
一対の基板間に電気泳動素子を挟持してなり、複数の画素を配列してなる表示部を備え、前記表示部に、前記画素毎に形成された画素電極と、前記画素電極と前記電気泳動素子を介して対向する対向電極とが設けられており、前記画素を駆動制御する制御部を有する電気泳動表示装置であって、
前記制御部は、
前記画素を中間階調表示させるに際して、
前記画素を第１の階調に移行させる第１表示動作と、
少なくとも前記画素に属する前記画素電極及び前記対向電極の電荷を除去するディスチャージ動作と、
前記画素に属する前記画素電極及び前記対向電極に前記画素を第２の階調に移行させる電位をそれぞれ入力することで前記画素を中間階調に移行させる第２表示動作と、
を実行することを特徴とする電気泳動表示装置。
【請求項７】
前記第２表示動作において、
前記画素を、前記第１の階調よりも前記第２の階調に近い階調値の中間階調に移行させることを特徴とする請求項６に記載の電気泳動表示装置。
【請求項８】
前記第２表示動作の後に、
前記画素電極及び前記対向電極をハイインピーダンス状態に保持する画像保持動作をさらに実行することを特徴とする請求項６又は７に記載の電気泳動表示装置。
【請求項９】
前記ディスチャージ動作と前記第２表示動作との間に、
前記画素電極及び前記対向電極をハイインピーダンス状態に保持する待機動作をさらに実行することを特徴とする請求項６から８のいずれか１項に記載の電気泳動表示装置。
【請求項１０】
一対の基板間に電気泳動素子を挟持してなり、複数の画素を配列してなる表示部を備え、前記表示部に、前記画素毎に形成された画素電極と、前記画素電極と前記電気泳動素子を介して対向する対向電極とが設けられており、前記画素を駆動制御する制御部を有する電気泳動表示装置であって、
前記制御部は、
前記画素を中間階調表示させるに際して、
前記画素を第１の階調に移行させる第１表示動作と、
前記画素に属する前記画素電極及び対向電極に前記画素を第２の階調に移行させる電位をそれぞれ入力することで、前記画素を前記第１の階調よりも前記第２の階調に近い階調値の中間階調に移行させる第２表示動作と、を実行することを特徴とする電気泳動表示装置。
【請求項１１】
請求項６から１０のいずれか１項に記載の電気泳動表示装置を備えたことを特徴とする電子機器。
【発明の詳細な説明】
【技術分野】
【０００１】
本発明は、電気泳動表示装置の駆動方法、電気泳動表示装置、及び電子機器に関するものである。
【背景技術】
【０００２】
電気泳動表示装置において、共通電極の電位を変更することにより駆動電圧を必要以上に高くしない駆動方法（ＣＯＭ振り駆動）が公知である（例えば特許文献１参照）。
【先行技術文献】
【特許文献】
【０００３】
【特許文献１】特開２００９−１７５４９２号公報
【発明の概要】
【発明が解決しようとする課題】
【０００４】
特許文献１記載の駆動方法では、同一画像を複数回繰り返して書き込むことで高コントラストの表示を得られるようにしている。しかしながら、同文献では中間階調（グレー階調）を高品位に表示させることは想定されていない。電気泳動表示装置の特性として、グレー階調の濃度が白黒濃度よりも安定しにくい傾向がある。例えば、同一の駆動パルスを使用しても、パネル毎の電流特性等のばらつきによって、パネル毎にグレー表示の濃度が異なるものとなってしまう。
【０００５】
本発明は、上記従来技術の問題点に鑑み成されたものであって、パネルの電流特性等の影響を受けにくく、安定した濃度の中間階調表示を得ることができる電気泳動表示装置の駆動方法、及び電気泳動表示装置を提供することを目的の一つとする。
【課題を解決するための手段】
【０００６】
本発明の電気泳動表示装置の駆動方法は、一対の基板間に電気泳動素子を挟持してなり、複数の画素を配列してなる表示部を備え、前記表示部に、前記画素毎に形成された画素電極と、前記画素電極と前記電気泳動素子を介して対向する対向電極とが設けられた電気泳動表示装置の駆動方法であって、前記画素を中間階調表示させるステップが、前記画素を第１の階調に移行させる第１表示ステップと、少なくとも前記画素に属する前記画素電極及び前記対向電極の電荷を除去するディスチャージステップと、前記画素に属する前記画素電極及び前記対向電極に前記画素を第２の階調に移行させる電位をそれぞれ入力することで前記画素を中間階調に移行させる第２表示ステップと、を含むことを特徴とする。
【０００７】
この駆動方法によれば、ディスチャージステップを設けたことで、中間階調表示動作である第２表示ステップの開始時点において、表示対象の画素に属する画素電極の電荷が除去された状態とすることができる。これにより、中間階調表示動作において画素電極の残留電荷の影響により電気泳動素子に流れる電流がばらつくのを防止でき、各画素において所望の濃度の中間階調表示を得ることができる。
【０００８】
前記第２表示ステップにおいて、前記画素を、前記第１の階調よりも前記第２の階調に近い階調値の中間階調に移行させることが好ましい。
この駆動方法によれば、中間階調表示をさせるに際しての階調値の変化量を大きくすることができるので、中間階調表示動作における電圧印加期間を長くすることができる。電気泳動素子の濃度変化は電圧印加開始時に大きく、時間の経過とともに緩やかになるため、上記のように電圧印加期間を長くすることで、濃度のばらつきを抑えることができる。この駆動方法は、例えば、第１の表示ステップにおいて用いる画像データの階調よりも、第２の表示ステップにおいて用いる画像データの階調に近い階調値の中間階調に移行させることで実施される。
【０００９】
前記第２表示ステップの後に、前記画素電極及び前記対向電極をハイインピーダンス状態に保持する画像保持ステップをさらに含むことが好ましい。
この駆動方法によれば、画像保持ステップを設けることで、電気泳動素子に電界を作用させることなく保持することができるので、当該期間中に電気泳動素子中の電気泳動粒子の移動を収束させることができ、所望の濃度の中間階調表示を得ることができる。
【００１０】
前記ディスチャージステップと前記第２表示ステップとの間に、前記画素電極及び前記対向電極をハイインピーダンス状態に保持する待機ステップをさらに含むことも好ましい。
この駆動方法によれば、待機ステップを設けることで、ディスチャージステップにおいて生じる電荷の移動を収束させることができ、第２表示ステップの開始時に電気泳動素子や画素電極、対向電極における電荷の状態を安定化させることができる。これにより、第２表示ステップにおいて電気泳動素子に流れる電流がばらつくのを防止でき、中間階調の濃度を均一化することができる。
【００１１】
本発明の電気泳動表示装置の駆動方法は、一対の基板間に電気泳動素子を挟持してなり、複数の画素を配列してなる表示部を備え、前記表示部に、前記画素毎に形成された画素電極と、前記画素電極と前記電気泳動素子を介して対向する対向電極とが設けられた電気泳動表示装置の駆動方法であって、前記画素を中間階調表示させるステップが、前記画素を第１の階調に移行させる第１表示ステップと、前記画素に属する前記画素電極及び前記対向電極に前記画素を第２の階調に移行させる電位をそれぞれ入力することで、前記画素を前記第１の階調よりも前記第２の階調に近い階調値の中間階調に移行させる第２表示ステップと、を有することを特徴とする。
【００１２】
この駆動方法によれば、中間階調表示をさせるに際しての階調値の変化量を大きくすることができるので、中間階調表示動作における電圧印加期間を長くすることができる。電気泳動素子の濃度変化は電圧印加開始時に大きく、時間の経過とともに緩やかになるため、上記のように電圧印加期間を長くすることで、濃度のばらつきを抑えることができる。この駆動方法は、例えば、第１の表示ステップにおいて用いる画像データの階調よりも、第２の表示ステップにおいて用いる画像データの階調に近い階調値の中間階調に移行させることで実施される。
【００１３】
次に，本発明の電気泳動表示装置は、一対の基板間に電気泳動素子を挟持してなり、複数の画素を配列してなる表示部を備え、前記表示部に、前記画素毎に形成された画素電極と、前記画素電極と前記電気泳動素子を介して対向する対向電極とが設けられており、前記画素を駆動制御する制御部を有する電気泳動表示装置であって、前記制御部は、前記画素を中間階調表示させるに際して、前記画素を第１の階調に移行させる第１表示動作と、少なくとも前記画素に属する前記画素電極及び前記対向電極の電荷を除去するディスチャージ動作と、前記画素に属する前記画素電極及び前記対向電極に前記画素を第２の階調に移行させる電位をそれぞれ入力することで前記画素を中間階調に移行させる第２表示動作と、を実行することを特徴とする。
【００１４】
この構成によれば、上記ディスチャージ動作によって、中間階調表示動作である第２表示動作の開始時点において、表示対象の画素に属する画素電極の電荷が除去された状態とすることができる。これにより、中間階調表示動作において画素電極の残留電荷の影響により電気泳動素子に流れる電流がばらつくのを防止でき、各画素において所望の濃度の中間階調表示を得ることができる。
【００１５】
前記第２表示動作において、前記画素を、前記第１の階調よりも前記第２の階調に近い階調値の中間階調に移行させることが好ましい。
この構成によれば、中間階調表示をさせるに際しての階調値の変化量を大きくすることができるので、中間階調表示動作における電圧印加期間を長くすることができる。電気泳動素子の濃度変化は電圧印加開始時に大きく、時間の経過とともに緩やかになるため、上記のように電圧印加期間を長くすることで、濃度のばらつきを抑えることができる。この構成は、例えば、第１の表示ステップにおいて用いる画像データの階調よりも、第２の表示ステップにおいて用いる画像データの階調に近い階調値の中間階調に移行させることで実現される。
【００１６】
前記第２表示動作の後に、前記画素電極及び前記対向電極をハイインピーダンス状態に保持する画像保持動作をさらに実行することが好ましい。
この構成によれば、上記画像保持動作を設けることで、電気泳動素子に電界を作用させることなく保持することができるので、当該期間中に電気泳動素子中の電気泳動粒子の移動を収束させることができ、所望の濃度の中間階調表示を得ることができる。
【００１７】
前記ディスチャージ動作と前記第２表示動作との間に、前記画素電極及び前記対向電極をハイインピーダンス状態に保持する待機動作をさらに実行することも好ましい。
この駆動方法によれば、上記待機動作を設けることで、ディスチャージ動作において生じる電荷の移動を収束させることができ、第２表示動作の開始時に電気泳動素子や画素電極、対向電極における電荷の状態を安定化させることができる。これにより、第２表示動作において電気泳動素子に流れる電流がばらつくのを防止でき、中間階調の濃度を均一化することができる。
【００１８】
本発明の電気泳動表示装置は、一対の基板間に電気泳動素子を挟持してなり、複数の画素を配列してなる表示部を備え、前記表示部に、前記画素毎に形成された画素電極と、前記画素電極と前記電気泳動素子を介して対向する対向電極とが設けられており、前記画素を駆動制御する制御部を有する電気泳動表示装置であって、前記制御部は、前記画素を中間階調表示させるに際して、前記画素を第１の階調に移行させる第１表示動作と、前記画素に属する前記画素電極及び対向電極に前記画素を第２の階調に移行させる電位をそれぞれ入力することで、前記画素を前記第１の階調よりも前記第２の階調に近い階調値の中間階調に移行させる第２表示動作と、を実行することを特徴とする。
この構成によれば、中間階調表示をさせるに際しての階調値の変化量を大きくすることができるので、中間階調表示動作における電圧印加期間を長くすることができる。電気泳動素子の濃度変化は電圧印加開始時に大きく、時間の経過とともに緩やかになるため、上記のように電圧印加期間を長くすることで、濃度のばらつきを抑えることができる。この構成は、例えば、第１の表示ステップにおいて用いる画像データの階調よりも、第２の表示ステップにおいて用いる画像データの階調に近い階調値の中間階調に移行させることで実現される。
【００１９】
本発明の電子機器は、先に記載の電気泳動表示装置を備えたことを特徴とする。
この構成によれば、高品位の中間階調表示が可能な表示手段を具備した電子機器を提供することができる。
【図面の簡単な説明】
【００２０】
【図１】第１実施形態に係る電気泳動表示装置の概略構成図。
【図２】表示体の回路ブロック図。
【図３】画素回路を示す図。
【図４】表示体の部分断面図及びマイクロカプセルの断面図。
【図５】第１実施形態に係る駆動方法を示すフローチャート。
【図６】画像データと画面の遷移を示す説明図。
【図７】第１実施形態に係る駆動方法におけるタイミングチャート。
【図８】第２実施形態に係る画像データと画面の遷移を示す説明図。
【図９】第２実施形態に係る駆動方法におけるタイミングチャート。
【図１０】従来の駆動方法におけるパネル毎の反射濃度を示すグラフ。
【図１１】実施例に係る駆動方法におけるパネル毎の反射濃度を示すグラフ。
【図１２】電子機器の一例を示す図。
【図１３】電子機器の一例を示す図。
【図１４】電子機器の一例を示す図。
【発明を実施するための形態】
【００２１】
以下、図面を用いて本発明の電気泳動表示装置とその駆動方法について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２２】
（第１の実施形態）
図１は、本発明に係る電気光学装置の一実施形態である電気泳動表示装置の概略構成を示す図である。図２は、本実施形態に係る表示体の回路ブロック図である。図３は、電気泳動表示装置の画素回路を示す図である。
【００２３】
図１に示す電気泳動表示装置１は、表示体２と、コントローラー３と、ＶＲＡＭ（Video Random Access Memory）４と、共通電極駆動回路５とを備えている。
表示体２は、コントローラー３からの制御信号と、共通電極駆動回路５からの電圧供給を受け、画像を表示する。表示体２には、表示部Ａと、走査線駆動回路１１と、データ線駆動回路１２とが形成されている。
コントローラー３は、電気泳動表示装置１の制御部であり、表示すべき画像データをＶＲＡＭ４から受け取り、表示体２を制御して画像を表示させる。具体的には、表示体２に設けられた走査線駆動回路１１及びデータ線駆動回路１２と共通電極駆動回路５とを制御し画像を表示させる。コントローラー３から出力される制御信号は、例えば、クロック信号、スタートパルス等のタイミング信号や画像データ、電源電圧等である。
ＶＲＡＭ４は、フラッシュメモリー等の記憶部（図示は省略）に記憶された画像データから、表示部Ａに次に表示させる１枚又は複数枚分の画像データを一時的に保存するために用いられる。
共通電極駆動回路５は、表示体２に設けられた共通電極２５（対向電極；図２，４参照）と接続されており、任意の共通電極電位Ｖcomを共通電極２５に供給する。
【００２４】
表示体２の表示部Ａには、図２に示すように、Ｘ軸方向に延在する複数の走査線Ｇ１、Ｇ２、…、Ｇｍと、Ｙ軸方向に延在する複数のデータ線Ｓ１、Ｓ２、…、Ｓｎとが形成されている。走査線Ｇとデータ線Ｓとの交差部に対応して画素１０が形成され、各々の画素１０に走査線Ｇとデータ線Ｓとが接続されている。画素１０は、Ｙ軸方向に沿ってｍ個、Ｘ軸方向に沿ってｎ個のマトリクス状に配列されている。また表示部Ａには、共通電極駆動回路５と接続された共通電極２５が形成されている。
なお、本明細書では、各配線の全体を表す場合や、配線の順番（位置）の指定がない場合には、走査線Ｇ、データ線Ｓという表現を用いる。
【００２５】
ここで、図３は、本実施形態に係る画素回路図である。
画素１０には、画素スイッチング素子としての選択トランジスタ２１と、保持容量２２と、画素電極２４と、共通電極２５と、電気泳動素子２６（電気光学層）とが形成されている。
選択トランジスタ２１はＮ−ＭＯＳ（Negative Metal Oxide Semiconductor）ＴＦＴで構成されている。選択トランジスタ２１のゲートには走査線Ｇ、ソースにはデータ線Ｓ、ドレインには保持容量２２の一方の電極と画素電極２４とがそれぞれ接続されている。
保持容量２２は、後述する素子基板上に形成され、誘電体膜を介して対向配置された一対の電極からなる。保持容量２２の一方の電極は選択トランジスタ２１に接続され、他方の電極は容量線Ｃに接続されている。保持容量２２によって選択トランジスタ２１を介して書き込まれた画像信号を一定期間維持することができる。
電気泳動素子２６は、電気泳動粒子をそれぞれ含んでなる複数のマイクロカプセルから構成されている。
【００２６】
図２に示す走査線駆動回路１１は、表示部Ａに形成された走査線Ｇと接続されており、各々の走査線Ｇを介してそれぞれ対応する画素行の画素１０に接続されている。
走査線駆動回路１１は、コントローラー３から供給されるタイミング信号に基づいて、走査線Ｇ１、Ｇ２、…、Ｇｍの各々に選択信号をパルス状に順次供給し、走査線Ｇの一本一本を排他的に順次選択状態にする。選択状態とは、走査線Ｇに接続される選択トランジスタ２１がオンしている状態である。
【００２７】
データ線駆動回路１２は、表示部Ａに形成されたデータ線Ｓと接続されており、各々のデータ線Ｓを介してそれぞれ対応する画素列の画素１０に接続されている。
データ線駆動回路１２は、コントローラー３から供給されるタイミング信号に基づいて、データ線Ｓ１、Ｓ２、…、Ｓｎに画像信号を供給する。本実施形態では説明を容易にするため、画像信号はハイレベルの電位ＶＨ（例えば１５Ｖ）又はローレベルの電位ＶＬ（例えば０Ｖ）の２値的な電位をとるものとする。なお、本実施形態では、白色が表示されるべき画素１０に対してローレベルの画像信号（電位ＶＬ）が供給され、黒色が表示されるべき画素１０に対してハイレベルの画像信号（電位ＶＨ）が供給される。
【００２８】
共通電極２５には、共通電極駆動回路５から共通電極電位Ｖcomが供給される。共通電極駆動回路５は任意の電位波形を生成可能に構成され、画素１０に書き込む階調に応じて共通電極電位Ｖcomを変化させるＣＯＭ振り駆動が可能である。
なお、後述する駆動方法の説明では、説明の簡単のために、共通電極電位Ｖcomはローレベルの電位ＶＬ（例えば０Ｖ）、又はハイレベルの電位ＶＨ（例えば１５Ｖ）の２値的な電位をとるものとしている。
【００２９】
容量線Ｃには、図示しない駆動回路から容量線電位Ｖｃが供給される。容量線Ｃを駆動する駆動回路は専用のものを用意してもよいが、走査線駆動回路１１又は共通電極駆動回路５が容量線用の駆動回路を兼ねる構成としてもよい。容量線Ｃは、一定電位（例えば接地電位）に保持される構成であってもよく、複数の電位（例えばローレベルの電位ＶＬとハイレベルの電位ＶＨ）を入力される構成としてもよい。
【００３０】
図４（ａ）は、表示体の部分断面図である。
表示体２は、素子基板２８と対向基板２９との間に電気泳動素子２６が挟持された構成を備えており、本実施形態の場合、対向基板２９側に画像が表示される。
素子基板２８は、例えばガラスやプラスチック等からなる基板である。素子基板２８上には、上述した選択トランジスタ２１、保持容量２２、走査線Ｇ、データ線Ｓ、容量線Ｃなどが作り込まれた積層構造が形成されている。この積層構造の上層側に複数の画素電極２４がマトリクス状に配列形成されている。
対向基板２９は、例えばガラスやプラスチック等からなる透明な基板である。対向基板２９における素子基板２８側には、共通電極２５が複数の画素電極２４と対向してベタ状に形成されている。共通電極２５は、例えばマグネシウム銀（ＭｇＡｇ）、インジウム錫酸化物（ＩＴＯ）、インジウム亜鉛酸化物等の透明導電材料により形成されている。
【００３１】
電気泳動素子２６は、電気泳動粒子をそれぞれ含んでなる複数のマイクロカプセル８０から構成されている。複数のマイクロカプセル８０は、例えば樹脂等からなるバインダー３０及び接着層３１によって素子基板２８及び対向基板２９間で固定されている。
なお、表示体２は、電気泳動素子２６が予め対向基板２９側にバインダー３０によって固定されてなる電気泳動シートと、当該電気泳動シートとは別途製造され、画素電極２４等が形成された素子基板２８とを、接着層３１により接着することで製造されている。
マイクロカプセル８０は、画素電極２４及び共通電極２５間に挟持され、１つの画素１０内に（言い換えれば１つの画素電極２４に対して）１つ又は複数配置されている。
【００３２】
図４（ｂ）は、マイクロカプセルの模式断面図である。
図４（ｂ）において、マイクロカプセル８０は、被膜８５の内部に分散媒８１と、複数の白色粒子８２と、複数の黒色粒子８３とが封入された構成を備える。マイクロカプセル８０は、例えば、５０μｍ程度の粒径を有する球状に形成されている。なお、白色粒子８２及び黒色粒子８３は、本発明に係る「電気泳動粒子」の一例である。
被膜８５は、マイクロカプセル８０の外殻として機能し、ポリメタクリル酸メチル、ポリメタクリル酸エチル等のアクリル樹脂、ユリア樹脂、アラビアガム、ゼラチン等の透光性を有する高分子樹脂から形成されている。
分散媒８１は、白色粒子８２及び黒色粒子８３をマイクロカプセル８０内（言い換えれば被膜８５内）に分散させてなる媒質である。分散媒８１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００３３】
白色粒子８２は、例えば、二酸化チタン、亜鉛華、三酸化アンチモン等の白色顔料からなる粒子（高分子あるいはコロイド）であり、例えば負に帯電されて用いられる。黒色粒子８３は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、白色粒子８２又は黒色粒子８３に代えて、例えば赤色、緑色、青色などの顔料を用いてもよい。かかる構成によれば、表示部に赤色、緑色、青色などを表示することができる。
【００３４】
［駆動方法］
図５は、本実施形態に係る電気泳動表示装置の駆動方法における処理の流れを示すフローチャートである。図６（ａ）は、本実施形態の駆動方法において用いられる画像データの遷移を示す図である。図６（ｂ）は表示部Ａの状態遷移を示す図である。図７は、図５に対応するタイミングチャートである。
【００３５】
本実施形態では、特に、図６（ｂ）に示す領域Ａ３に属するステップＳ１０４においてダークグレー表示される画素１０と、領域Ａ２に属するステップＳ１０４においてライトグレー表示される画素１０について詳細に説明する。
図７に示す「Ｖｐ１」は、ステップＳ１０４においてダークグレー表示される画素１０（領域Ａ３に属する画素Ｐ１）の画素電極２４に入力される電位であり、「Ｖｐ２」は、ステップＳ１０４においてライトグレー表示される画素１０（領域Ａ２に属する画素Ｐ２）の画素電極２４に入力される電位である。
【００３６】
なお、本実施形態では、電気泳動粒子の白色粒子８２がマイナス、黒色粒子８３がプラスに帯電しているものとして説明を進める。したがって、画素電極２４と共通電極２５にローレベルの電位ＶＬ（０Ｖ）とハイレベルの電位ＶＨ（１５Ｖ）のいずれか一方の電位を入力して駆動を行う場合に、Ｖcomをハイレベル（ＶＨ；１５Ｖ）にすると、画素電極２４がローレベル（ＶＬ；０Ｖ）である画素１０は白表示動作し、画素電極２４がハイレベル（ＶＨ；１５Ｖ）である画素１０の表示は変化しない。一方、Ｖcomをローレベル（ＶＬ；０Ｖ）にすると、画素電極２４がハイレベル（ＶＨ；１５Ｖ）である画素１０は黒表示動作し、画素電極２４がローレベル（ＶＬ；０Ｖ）である画素１０の表示は変化しない。
【００３７】
本実施形態の駆動方法は、図５に示すステップＳ１０１〜Ｓ１０５により表示部Ａに中間階調を含む画像を表示させる画像表示動作に関するものである。したがって、例えばユーザーによって不図示のボタンが押されるなどによりコントローラー３が表示体駆動開始命令を受信すると、図示のステップＳ１０１〜Ｓ１０５が順次実行される。
【００３８】
まず、画像表示動作が開始される直前の表示部Ａでは、図７に示すように、全ての画素電極２４及び共通電極２５は電気的に切断されたハイインピーダンス状態とされ、電気泳動素子２６に電圧が印加されない状態に保持されている。
そして、画像表示動作が開始され、第１表示ステップＳ１０１に移行すると、コントローラー３は、図６（ａ）に示す画像データＤ１をＶＲＡＭ４から読み出し、画像データＤ１を表示部Ａに表示させる。
なお、画像データＤ１は、図６（ｂ）に示す表示部Ａのうち図示右上の領域Ａ０２（面積比で１／４の領域）に対応する部分が画素データ「１」（黒表示に対応）からなり、その他の領域Ａ０１（残りの３／４の領域）に対応する部分が画素データ「０」（白表示に対応）からなるものである。
【００３９】
より具体的には、第１表示ステップＳ１０１では、コントローラー３の制御のもと、走査線駆動回路１１により順次走査線Ｇが選択され、選択された走査線Ｇに接続された画素１０の画素電極２４に、データ線駆動回路１２から画像データＤ１の１行分の画像信号が入力される。この動作により、図７に示すように、ダークグレー表示される画素Ｐ１の画素電極２４の電位Ｖｐ１はハイレベル（ＶＨ；１５Ｖ）とされ、ライトグレー表示される画素Ｐ２の画素電極２４の電位Ｖｐ２はローレベル（ＶＬ；０Ｖ）とされる。また、共通電極２５には、ハイレベル（ＶＨ）とローレベル（ＶＬ）とを周期的に繰り返す矩形波状のパルスが入力される。
【００４０】
そして、共通電極２５の電位Ｖcomがローレベル（ＶＬ）である期間に、ダークグレー表示される画素Ｐ１では、画素電極２４の電位Ｖｐ１が相対的に高電位、共通電極２５の電位Ｖcomが相対的に低電位となり、画素Ｐ１が黒表示される。ライトグレー表示される画素Ｐ２の画素電極２４の電位Ｖｐ２と共通電極２５の電位Ｖcomは同電位（ＶＬ）となるため、電気泳動素子２６は駆動されず表示は変化しない。
一方、共通電極２５の電位Ｖcomがハイレベル（ＶＨ）である期間には、ダークグレー表示される画素Ｐ１では、画素電極２４の電位Ｖｐ１が共通電極２５のＶcomと同電位となるため表示は変化しない。ライトグレー表示される画素Ｐ２では、画素電極２４の電位Ｖｐ２が相対的に低電位、共通電極２５の電位Ｖcomが相対的に高電位となり画素Ｐ２が白表示される。
上記の動作により、図６（ｂ）に示すように、表示部Ａは、領域Ａ０１が白表示、領域Ａ０２が黒表示された状態となる。
【００４１】
第１表示ステップＳ１０１が終了したならば、図５に示すように、ディスチャージステップＳ１０２が実行される。
ディスチャージステップＳ１０２では、図７に示すように、表示部Ａの全ての画素電極２４に接地電位（０Ｖ；ローレベル電位ＶＬ）が入力されるとともに、共通電極２５にも接地電位が入力される。具体的には、コントローラー３の制御のもと、走査線駆動回路１１及びデータ線駆動回路１２により、全ての画素１０の画素電極２４に画素データ「０」に対応する画像信号（ローレベル電位ＶＬ；０Ｖ）が入力され、共通電極駆動回路５により共通電極２５にローレベル電位ＶＬ（０Ｖ）が入力される。
これにより、第１表示ステップＳ１０１の終了時にハイレベル（ＶＨ）が入力されていた画素電極２４から電荷が引き抜かれるとともに、保持容量２２に蓄積されていた電荷も開放される。また、矩形波の終端がハイレベル（ＶＨ）とされていた共通電極２５からも電荷が引き抜かれる。このようにして、表示部Ａの全ての画素電極２４と共通電極２５とが同電位（ローレベル（ＶＬ））とされる。
【００４２】
ディスチャージステップＳ１０２が終了したならば、待機ステップＳ１０３が実行される。
待機ステップＳ１０３では、図７に示すように、画素電極２４及び共通電極２５がいずれもハイインピーダンス状態とされ、所定期間保持される。待機ステップＳ１０３は、表示体２内の電荷が安定するまで第２表示ステップＳ１０４の実行を留保するステップであり、その長さは、表示体２の特性に応じて設定することが好ましい。具体的には、例えば１００ｍｓ程度の長さであり、表示体２の特性に合わせて１０ｍｓ〜５００ｍｓ程度範囲で設定することが好ましい。
なお、待機ステップＳ１０３は必要に応じて実行すればよい。つまり、待機ステップＳ１０３を１０ｍｓ未満に設定してもパネル間での中間階調の濃度むらが生じない場合には、待機ステップＳ１０３は不要である。
【００４３】
待機ステップＳ１０３が終了したならば、第２表示ステップＳ１０４が実行される。
第２表示ステップＳ１０４に移行すると、コントローラー３は、図６（ａ）に示す画像データＤ２をＶＲＡＭ４から読み出し、画像データＤ２を表示部Ａに表示させる。
なお、画像データＤ２は、図６（ｂ）に示す表示部Ａのうち図示中央部左上側の領域Ａ２（面積比で全体の１／８の領域）に対応する部分と、図示右上側の領域Ａ４（同じく１／８の領域）とが画素データ「１」（黒表示に対応）からなり、その他の領域Ａ１、Ａ３、Ａ５（残りの３／４の領域）に対応する部分が画素データ「０」（白表示に対応）からなるものである。
【００４４】
上記動作により、図７に示すように、ダークグレー表示される画素Ｐ１（領域Ａ３）の画素電極２４の電位Ｖｐ１はローレベル（ＶＬ）とされ、ライトグレー表示される画素Ｐ２（領域Ａ２）の画素電極２４の電位Ｖｐ２はハイレベル（ＶＨ）とされる。また、共通電極２５には、ハイレベル（ＶＨ）とローレベル（ＶＬ）とを周期的に繰り返す矩形波状のパルスが入力される。
【００４５】
なお、本実施形態では、第２表示ステップＳ１０４において共通電極２５に入力される矩形波のパルス幅ＰＷ２が、第１表示ステップＳ１０１において共通電極２５に入力される矩形波のパルス幅ＰＷ１よりも狭くされている。これにより、高い周波数で小刻みに電気泳動素子２６を駆動することができ、中間階調表示の制御性を高めることができる。パルス幅ＰＷ２は電気泳動素子２６の特性等に応じて任意に設定することができるが、例えば、パルス幅ＰＷ２は２０ｍｓ程度、パルス幅ＰＷ１は２００ｍｓ程度に設定することができる。
【００４６】
第２表示ステップＳ１０４において、共通電極２５の電位Ｖcomがハイレベル（ＶＨ）である期間に、ダークグレー表示される画素Ｐ１（領域Ａ３に属する画素）では、画素電極２４の電位Ｖｐ１が相対的に低電位、共通電極２５の電位Ｖcomが相対的に高電位となり、画素Ｐ１が白表示動作する。これにより、第１表示ステップＳ１０１で黒表示されていた画素Ｐ１が若干白表示へ移行し、ダークグレー表示となる。このとき、ライトグレー表示される画素Ｐ２（領域Ａ２に属する画素）の画素電極２４の電位Ｖｐ２と共通電極２５の電位Ｖcomは同電位（ＶＨ）となるため、電気泳動素子２６は駆動されず表示は変化しない。
一方、共通電極２５の電位Ｖcomがローレベル（ＶＬ）である期間には、ライトグレー表示される画素Ｐ２では、画素電極２４の電位Ｖｐ２が相対的に高電位、共通電極２５の電位Ｖcomが相対的に低電位となり画素Ｐ２が黒表示動作する。これにより、第１表示ステップＳ１０１で白表示されていた画素Ｐ２が若干黒表示へ移行し、ライトグレー表示となる。このとき、ダークグレー表示される画素Ｐ１では、画素電極２４の電位Ｖｐ１が共通電極２５のＶcomと同電位となるため表示は変化しない。
上記の動作により、図６（ｂ）に示すように、表示部Ａは、領域Ａ１が白表示、領域Ａ２（画素Ｐ２）がライトグレー表示、領域Ａ３（画素Ｐ１）がダークグレー表示、領域Ａ４が黒表示された状態となる。
【００４７】
第２表示ステップＳ１０４が終了したならば、画像保持ステップＳ１０５に移行する。
画像保持ステップＳ１０５では、図７に示すように、画素電極２４及び共通電極２５がいずれもハイインピーダンス状態とされ、所定期間保持される。画像保持ステップＳ１０５は、電気泳動素子２６内の電気泳動粒子の状態が安定するまで、次の画像表示動作を留保するステップであり、その長さは、表示体２の特性に応じて設定することが好ましい。具体的には、例えば５００ｍｓ〜１秒程度の長さとすることが好ましい。
【００４８】
画像保持ステップＳ１０５では、画素電極２４及び共通電極２５がいずれもハイインピーダンス状態とされるため、電気泳動素子２６に電界が作用することがない。このような状態で、上記に示した所定期間保持することで、第２表示ステップＳ１０４の期間内では未了であった電気泳動粒子の移動を完了させ、グレー表示を所望の濃度に到達させることができる。これにより、パネル毎にばらつきのある電気泳動粒子の運動収束性の影響を受けにくくなり、パネル毎に中間階調の濃度がばらつくのを防止できる。
なお、画像保持ステップＳ１０５も先の待機ステップＳ１０３と同様に、必要に応じて実行すればよい。つまり、第２表示ステップＳ１０４の終了直後にグレー表示の濃度が安定している場合には、画像保持ステップＳ１０５は不要である。
【００４９】
以上に説明した本実施形態の電気泳動表示装置の駆動方法では、ディスチャージステップＳ１０２を設けたことで、グレー表示動作である第２表示ステップＳ１０４の開始時点において、表示部Ａの全ての画素電極２４の電荷が除去され、全ての画素電極２４が接地電位とされた状態となる。これにより、グレー表示動作において画素電極２４の残留電荷の影響を排除でき、各画素１０において所望の濃度変化量を得ることができる。より詳しくは、グレー表示動作は、画素１０の反射率（濃度）が比較的急峻に変化する領域で電気泳動素子２６に対する電圧印加を停止させるため、電気泳動素子２６に流れる電流量のばらつきが濃度のばらつきとなって現れやすい。そこで本実施形態のように、グレー表示に先立って画素電極２４の残留電荷を除去しておくことで、残留電荷による電流量のばらつきを防止でき、所望の濃度のグレー表示を得やすくなる。
【００５０】
さらに本実施形態では、待機ステップＳ１０３を設けることで第２表示ステップＳ１０４の開始に表示体２内の電荷を安定させ、電流量のばらつきが生じるのを抑えている。また、画像保持ステップＳ１０５を設けることで、電気泳動素子２６内の電気泳動粒子の移動を収束させ、グレー表示の濃度を安定化させている。これらにより、電気泳動素子２６を含む表示体２の特性ばらつきに起因するグレー表示の濃度ばらつきを抑えることができる。
【００５１】
（第２の実施形態）
次に、本発明の電気泳動表示装置の駆動方法の第２の実施形態について、図８及び図９を参照して説明する。
図８（ａ）は、本実施形態の駆動方法において用いられる画像データの遷移を示す図である。図８（ｂ）は表示部Ａの状態遷移を示す図である。図９は、本実施形態の電気泳動表示装置の駆動方法におけるタイミングチャートである。なお、本実施形態の駆動方法におけるフローは、図５に示したステップＳ２０１〜Ｓ２０５である。
【００５２】
図８（ａ）に示すように、本実施形態では、第１表示ステップＳ２０１において、第１実施形態に係る画像データＤ２と同一の画像データＤ３が用いられる一方、第２表示ステップＳ２０４において、第１実施形態に係る画像データＤ１と同一の画像データＤ４が用いられる。
【００５３】
第１表示ステップＳ２０１では、図８（ａ）に示す画像データＤ３が表示部Ａに入力される。図９に示すように、ダークグレー表示される画素Ｐ１の画素電極２４の電位Ｖｐ１はローレベル（ＶＬ）とされ、ライトグレー表示される画素Ｐ２の画素電極２４の電位Ｖｐ２はハイレベル（ＶＨ）とされる。共通電極２５にはハイレベル（ＶＨ）とローレベル（ＶＬ）を周期的に繰り返す矩形波が入力される。
これにより、図８（ｂ）に示すように、表示部Ａに画像データＤ３に基づく画像が表示され、領域Ａ０１に属する画素Ｐ１は白表示され、領域Ａ０２に属する画素Ｐ２は黒表示される。
【００５４】
第１表示ステップＳ２０１の終了後は、第１実施形態と同様に、ディスチャージステップＳ２０２と待機ステップＳ２０３とが順次実行される。本実施形態では、ディスチャージステップＳ２０２において、第１表示ステップＳ２０１の終了時に電位がハイレベル（ＶＨ）であった画素Ｐ２と共通電極２５とから電荷が除去され、全ての画素電極２４及び共通電極２５がいずれも接地電位（ローレベル（ＶＬ））とされる。その後、待機ステップＳ１０３において画素電極２４及び共通電極２５がいずれもハイインピーダンス状態とされ、所定期間（例えば１００ｍｓ）保持される。
【００５５】
その後、第２表示ステップＳ２０４に移行すると、図９に示すように、画素Ｐ１の画素電極２４の電位Ｖｐ１がハイレベル（ＶＨ）とされ、画素Ｐ２の画素電極２４の電位Ｖｐ２がローレベル（ＶＬ）とされる。共通電極２５にはハイレベル（ＶＨ）とローレベル（ＶＬ）を周期的に繰り返す矩形波が入力される。
そうすると、共通電極２５がローレベル（ＶＬ）である期間に画素Ｐ１が黒表示動作することにより、第１表示ステップＳ２０１で白表示されていた画素Ｐ１がダークグレー表示される。また、共通電極２５がハイレベル（ＶＨ）である期間に画素Ｐ２が白表示動作することにより、第１表示ステップＳ２０１で黒表示されていた画素Ｐ２がライトグレー表示される。
その後は、画像保持ステップＳ２０５において画素電極２４及び共通電極２５がハイインピーダンス状態とされ、所定期間（例えば５００ｍｓ〜１秒）保持される。
【００５６】
つまり、本実施形態では、画素Ｐ１を白表示させた後に黒表示動作させることでダークグレー表示を行い、画素Ｐ２を黒表示させた後に白表示動作させることでライトグレー表示を行っている。これにより、本実施形態では、第１実施形態と比べて、グレー表示動作（第２表示ステップＳ２０４）における階調値の変化量（濃度の変化量）が大きくなる。
このような駆動方法とすることで、第２表示ステップＳ２０４において電気泳動素子２６に電圧を印加する時間を長くすることができ、濃度のばらつきを抑えることができる。これは、電気泳動素子２６の濃度変化が電圧印加開始時では急峻であり、時間の経過とともに緩やかになるためである。
【００５７】
なお、上記各実施形態では、１画素内に１つのトランジスタと１つのキャパシタが形成された１Ｔ１Ｃ方式（ＤＲＡＭ方式）の電気泳動表示装置を例示して説明したが、本発明に係る駆動方法は、他の駆動方式の電気泳動表示装置にも好適に用いることができる。例えば、セグメント方式の電気泳動表示装置にも問題なく適用できる。また、他の方式のアクティブマトリクス型電気泳動表示装置にも好適に用いることができる。例えば、画素ごとにラッチ回路が設けられたＳＲＡＭ（Static Random Access Memory）方式の電気泳動表示装置に適用することもでき、さらに、ラッチ回路によってトランジスタやトランスミッションゲートをスイッチングし、制御線と画素電極とを接続する方式の電気泳動表示装置に適用することもできる。
【実施例】
【００５８】
以下、実施例により本発明についてさらに詳細に説明するが、本発明の技術的範囲は以下の実施例に限定されるものではない。
【００５９】
本実施例では、図１から図４に示した構成を備えた電気泳動表示装置を複数個（５３個）作製し、パネル間のグレー濃度ばらつきについて検証した。より詳細には、各パネルについて、以下に説明する３種類の駆動方法（駆動方法１〜駆動方法３）及び従来の駆動方法を用いて図６（ｂ）の右図に示した中間階調を含む画像を表示させ、領域Ａ１（白表示）、領域Ａ２（ライトグレー表示）、領域Ａ３（ダークグレー表示）、領域Ａ４（黒表示）のそれぞれについて、反射濃度を測定した。
【００６０】
［駆動方法１］
駆動方法１は、第１実施形態に係る駆動方法である。すなわち、図５に示したステップＳ１０１〜Ｓ１０５を順次実行することで図６（ｂ）の右図に示した中間階調を含む画像を表示させる。
［駆動方法２］
駆動方法２は、第２実施形態に係る駆動方法において、ディスチャージステップＳ２０２及び待機ステップＳ２０３を省略し、図８に示した画像データＤ３、Ｄ４を用いて、ステップＳ２０１、Ｓ２０４、Ｓ２０５を順次実行することで中間階調を含む画像を表示させる。
［駆動方法３］
駆動方法３は、第２実施形態に係る駆動方法である。すなわち、図８に示した画像データＤ３、Ｄ４を用いて、図５に示したステップＳ２０１〜Ｓ２０５により中間階調を含む画像を表示させる。
［従来の駆動方法］
従来の駆動方法は、第１実施形態の駆動方法において、ディスチャージステップＳ１０２及び待機ステップＳ１０３を省略し、第１表示ステップＳ１０１と第２表示ステップＳ１０４のみを連続実行する駆動方法である。なお、本実施例では、中間階調を含む画像を表示させた状態を維持して反射濃度の測定を行うため、画素電極２４及び共通電極２５をハイインピーダンス状態に保持する画像保持ステップＳ１０５は、従来の駆動法においても実質的に実行されることになる。
【００６１】
図１０は、従来の駆動方法により図６（ｂ）に示した画像を表示させたときの反射濃度の測定結果を示すグラフであり、横軸はサンプルＮｏ．（パネルＮｏ．）であり、縦軸は反射濃度（任意単位）である。
図１０に示すように、黒表示の濃度と白表示の濃度は、各パネルでほぼ均一であるが、ライトグレー（ＬＧ）及びダークグレー（ＤＧ）の濃度はパネル毎に大きくばらついている。図示のグラフにおいて、サンプルＮｏ．が小さいパネルは、比較的電気泳動粒子が移動しやすい（電気泳動素子に電流が流れやすい）パネルであり、サンプルＮｏ．が大きいものほど、電気泳動粒子が移動しにくい（電気泳動素子に電流が流れにくい）パネルである。
【００６２】
図１１は、駆動方法１〜駆動方法３により中間階調を含む画像を表示させた場合におけるパネル毎の各領域の反射濃度を示すグラフである。
図１１に示す「従来の駆動方法」のグラフは、比較のために図１０のグラフを加工して示したものである。また、図１１の各グラフにおいて縦軸の反射濃度は任意単位であるが、比較可能にするためにスケールは一致させている。さらに、図１１に示された各グラフのプロット（四角や三角のマーク）は、同一サンプルＮｏ．のパネルのものである。
【００６３】
図１１に示す「駆動方法１」のグラフを見ると、「従来の駆動方法」のグラフと比較して、「駆動方法１」ではダークグレーの反射濃度の均一性が改善されている。一方、ライトグレーの反射濃度の均一性はほとんど変わっていないが、全体的に反射濃度が上昇しており、電気泳動粒子の反応性が良化していることがわかる。
【００６４】
次に、「駆動方法２」のグラフを見ると、「駆動方法２」では、白表示からダークグレー表示に移行させ、黒表示からライトグレー表示に移行させているため、反射濃度のレベルが「駆動方法１」や「従来の駆動方法」から変化しているが、ダークグレー、ライトグレーの双方で反射濃度の均一性が改善されている。特に、ライトグレーの反射濃度の均一性は「従来の駆動方法」及び「駆動方法１」のいずれに対しても大きく向上している。
【００６５】
次に、「駆動方法３」のグラフを見ると、「駆動方法３」では、「駆動方法２」よりもさらにダークグレー、ライトグレーの反射濃度の均一性が向上している。「駆動方法３」によれば、「従来の駆動方法」に対してパネル毎のグレー濃度のばらつきを著しく改善することが可能である。
【００６６】
このように本発明の電気泳動表示装置の駆動方法によれば、電気泳動表示装置における中間階調表示のパネル毎のばらつきを、特別な構成を用いることなく改善することができる。したがって本発明の電気泳動表示装置の駆動方法は、電気泳動表示装置の表示品質向上に極めて有用な技術である。
【００６７】
（電子機器）
次に、上記実施形態の電気泳動表示装置１を、電子機器に適用した場合について説明する。
図１２は、腕時計１０００の正面図である。腕時計１０００は、時計ケース１００２と、時計ケース１００２に連結された一対のバンド１００３とを備えている。
時計ケース１００２の正面には、上記各実施形態の電気泳動表示装置からなる表示部１００５と、秒針１０２１と、分針１０２２と、時針１０２３とが設けられている。時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００６８】
図１３は電子ペーパー１１００の構成を示す斜視図である。電子ペーパー１１００は、上記実施形態の電気泳動表示装置を表示領域１１０１に備えている。電子ペーパー１１００は可撓性を有し、従来の紙と同様の質感及び柔軟性を有する書き換え可能なシートからなる本体１１０２を備えて構成されている。
【００６９】
図１４は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００７０】
以上の腕時計１０００、電子ペーパー１１００、及び電子ノート１２００によれば、本発明に係る電気泳動表示装置が採用されているので、高品位の中間階調表示が可能な表示手段を備えた電子機器となる。
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気光学装置は好適に用いることができる。
【符号の説明】
【００７１】
１  電気泳動表示装置、２  表示体、３  コントローラー（制御部）、４  ＶＲＡＭ、５  共通電極駆動回路、Ａ  表示部、Ｃ  容量線、Ｇ  走査線、Ｓ  データ線、１０，Ｐ１，Ｐ２  画素、１１  走査線駆動回路、１２  データ線駆動回路、２１  選択トランジスタ、２２  保持容量、２４  画素電極、２５  共通電極、２６  電気泳動素子、
Ａ１，Ａ２，Ａ３，Ａ４，Ａ５，Ａ０１，Ａ０２  領域、Ｄ１，Ｄ２，Ｄ３，Ｄ４  画像データ、ＰＷ１，ＰＷ２  パルス幅、Ｖｐ１，Ｖｐ２  電位、Ｓ１０１，Ｓ２０１  第１表示ステップ、Ｓ１０２，Ｓ２０２  ディスチャージステップ、Ｓ１０３，Ｓ２０３  待機ステップ、Ｓ１０４，Ｓ２０４  第２表示ステップ、Ｓ１０５，Ｓ２０５  画像保持ステップ
【図１】
2011099897.tif 000003
【図２】
2011099897.tif 000004
【図３】
2011099897.tif 000005
【図４】
2011099897.tif 000006
【図５】
2011099897.tif 000007
【図６】
2011099897.tif 000008
【図７】
2011099897.tif 000009
【図８】
2011099897.tif 000010
【図９】
2011099897.tif 000011
【図１０】
2011099897.tif 000012
【図１１】
2011099897.tif 000013
【図１２】
2011099897.tif 000014
【図１３】
2011099897.tif 000015
【図１４】
2011099897.tif 000016